(57)【要約】【課題】本発明は噴霧・鼻汁吸引装置に関し、とりわけ脱着する必要なく、鼻汁吸引と噴霧の二種類の機能を実現可能な噴水・鼻汁吸引装置を提供する。【解決手段】本発明はハウジングと、ポンプと、吸取り部と、噴霧部とを備える噴水・鼻汁吸引装置を提供する。ポンプはハウジング内に設けられ、吸取り部及び噴霧部はハウジング上に設けられる。吸取り部は、外気を通過させてポンプに吸引するためのものであり、噴霧部は液体を霧化して噴出するためのものである。吸取り部と噴霧部とが一定距離隔てている。本発明の噴水・鼻汁吸引装置は鼻汁吸引機能と噴霧機能との二種類の機能が使用上にて互いに干渉することなく、且つ脱着動作を必要とせずに鼻汁吸引と噴霧の二種類の機能を実現することができる。【選択図】図２
2018102924.tif 000002
【特許請求の範囲】
【請求項１】
ハウジングと、
前記ハウジング内に設けられており、吸気用の吸気ヘッドと排気用の排気ヘッドとを有するポンプと、
前記ハウジング上に設けられ且つ前記吸気ヘッドに接続され、外気を通過させて前記ポンプに吸引するための吸取り部と、
前記ハウジング上に設けられ且つ霧化ユニットと、貯液タンクとを有しており、前記貯液タンクは液体を霧化ユニットに供給して、前記液体を霧化して噴出するための霧化部と、を備える噴水・鼻汁吸引装置であって、
前記吸取り部と前記噴霧部とが一定距離隔てている、ことを特徴とする噴水・鼻汁吸引装置。
【請求項２】
前記吸取り部が吸取り部ハウジングと、前記吸取り部ハウジングに接続される収集タンクとを備えており、前記吸取り部ハウジング内には第１の吸気管路と第２の吸気管路とを有しており、前記第１の吸気管路の一端は前記収集タンクに連通し、前記第２の吸気管路の一端は前記収集タンクに連通し、前記第２の吸気管路の他端は接続管を通じて前記吸気ヘッドに接続される、ことを特徴とする請求項１に記載の噴水・鼻汁吸引装置。
【請求項３】
前記収集タンクに連通する前記第１の吸気管路の一端と前記第２の吸気管路の一端とが並列される、ことを特徴とする請求項２に記載の噴水・鼻汁吸引装置。
【請求項４】
前記吸取り部ハウジングと前記収集タンクとの間にはガスケットが設けられる、ことを特徴とする請求項２に記載の噴水・鼻汁吸引装置。
【請求項５】
前記第２の吸気管路と前記接続管との間にはＯリングが設けられる、ことを特徴とする請求項２に記載の噴水・鼻汁吸引装置。
【請求項６】
前記貯液タンクが供給する液体が薬剤又は水である、ことを特徴とする請求項１に記載の噴水・鼻汁吸引装置。
【請求項７】
前記霧化ユニットが霧化プレートである、ことを特徴とする請求項１に記載の噴水・鼻汁吸引装置。
【請求項８】
前記霧化ユニットと前記貯液タンクとの間にＯリングが設けられる、ことを特徴とする請求項１に記載の噴水・鼻汁吸引装置。
【請求項９】
前記吸取り部及び前記噴霧部が前記ハウジング上の同一側面又は異なる側面に設けられる、ことを特徴とする請求項１に記載の噴水・鼻汁吸引装置。
【請求項１０】
電力を前記ポンプに供給する電池を更に備える、ことを特徴とする請求項１に記載の噴水・鼻汁吸引装置。
【発明の詳細な説明】
【技術分野】
【０００１】
本発明は噴霧・鼻汁吸引装置に関し、とりわけ脱着する必要なく、鼻汁吸引と噴霧の二種類の機能を実現可能な噴水・鼻汁吸引装置に関する。
【背景技術】
【０００２】
従来技術における鼻洗浄器又は鼻汁吸引器は単一の機能・用途しかないものであって、つまり単一の装置では鼻腔に対して鼻汁を吸引して清潔にするケア動作を実現するのみか、又は鼻腔に水を噴射して洗浄して清潔にするケア動作を実現するしかない。もし鼻汁吸引器にてその他機能用途を切換えるためには、鼻汁吸引アタッチメントを脱着しないと噴水機能を実現して鼻洗浄器とすることができず、一方、鼻洗浄器もまた脱着しなければ鼻汁吸引器とすることはできない。
【先行技術文献】
【特許文献】
【０００３】
台湾特許Ｉ３４５４６２号
【発明の概要】
【発明が解決しようとする課題】
【０００４】
現在市販されているものには、鼻汁吸引と、噴水とを統合した噴水・鼻汁吸引装置が設計されており、つまり、特許文献に示すように、同時に二種類の機能・用途を実現することができるものがある。しかしながら、特許文献に開示する技術は、鼻汁吸引口と噴水口とが一つに統合されていることから、このような設計では噴水口から噴出した液体が鼻汁吸引口に吸引されてしまい、ひいては鼻汁吸引、噴水機能の作用効果が劣るという問題がある。
【０００５】
よって、上記問題を解決する噴水・鼻汁吸引装置をどのように提供するかというのは、現在、解決が待たれる課題の一つである。
【課題を解決するための手段】
【０００６】
本発明の主な目的は、噴水・鼻汁吸引装置を提供するものであって、ハウジングと、前記ハウジング内に設けられており、吸気用の吸気ヘッドと排気用の排気ヘッドとを有するポンプと、前記ハウジング上に設けられ且つ前記吸気ヘッドに接続され、外気を通過させて前記ポンプに吸引するための吸取り部と、前記ハウジング上に設けられ且つ霧化ユニットと、貯液タンクとを有しており、前記貯液タンクは液体を霧化ユニットに供給して、前記液体を霧化して噴出するための霧化部と、を備える噴水・鼻汁吸引装置であって、前記吸取り部と前記噴霧部とが一定距離隔てている。
【図面の簡単な説明】
【０００７】
【図１】本発明の噴水・鼻汁吸引装置の外観概略図である。
【図２】本発明の噴水・鼻汁吸引装置の断面概略図である。
【発明を実施するための形態】
【０００８】
本発明の実施形態は、以下の具体的な実施例を通じて説明するが、当業者は、本発明の明細書により本発明の長所及び効果を容易に理解でき、そしてその他異なる実施例を通じて実施又は応用が可能である。
【０００９】
図１及び図２を同時に参照されたい。本発明の噴水・鼻汁吸引装置１はハウジング１１と、ポンプ１２と、吸取り部１３と、噴霧部１４とを備える。
【００１０】
ハウジング１１は中空ハンドル状であって、内部にはポンプ１２と、電池１５と、プリント回路板１６とが設けられており、ハウジング１１の外部上には吸取り部１３と噴霧部１４とが設けられているが、このうち、吸取り部１３及び噴霧部１４の設置位置は一定距離隔てている。
【００１１】
ハウジング１１の外面にはプリント回路板１６に電気的に接続されている起動スイッチ１７と霧化スイッチ１８とが設けられており、電池１５はポンプ１２又はプリント回路板１６に電力を供給するためのものである。使用者が起動スイッチ１７を押下すると、プリント回路板１６はポンプ１２を作動させる。使用者が霧化スイッチ１８を押下すると、プリント回路板１６は噴霧部１４を作動させる。
【００１２】
ポンプ１２は、吸気するための吸気ヘッド１２１と、排気するための排気ヘッド１２２とを有する。このうち、吸取り部１３は吸気ヘッド１２１に接続され、排気部１４は排気ヘッド１２２に接続されている。
【００１３】
詳細に言えば、吸取り部１３は吸取り部ハウジング１３１と、該吸取り部ハウジング１３１に接続されている収集タンク１３２とからなる。吸取り部ハウジング１３１内には、第１の吸気管路１３３と第２の吸気管路１３４とが設けられている。第１の吸気管路１３３の一端は収集タンク１３２に接続され、他端は外部（例えば本発明の噴水・鼻汁吸引装置１を使用する時には鼻腔中にある）に接続される。第２の吸気管路１３４の一端は収集タンク１３２に接続され、他端は接続管１３５を通じて吸気ヘッド１２１に接続されている。これにより、外部の空気が第１の吸気管路１３３を通じて収集タンク１３２に取り込まれた後、更に第２の吸気管路１３４、接続管１３５及び吸気管１２３を通じてポンプ１２に取り込まれる。また、排気ヘッド１２２は排気管１２４を通じてハウジング１１上の穴に連通することで、吸気ヘッド１２１が吸入した外気を排出する。
【００１４】
一つの実施例において、吸取り部ハウジング１３１と収集タンク１３２との間にはガスケット１３６が設けられており、そして第２の吸気管路１３４と接続管１３５との間にはＯリング１３７が設けられており、ガスケット１３６及びＯリング１３７はいずれも密封度を増加させるためのものである。
【００１５】
噴霧部１４は霧化ユニット１４１と貯液タンク１４２とを有しており、貯液タンク１４２内には液体１４３が貯留されて、液体１４３は霧化ユニット１４１に供給可能となっている。使用者が霧化スイッチ１８を押下すると、プリント回路板１６は噴霧部１４を作動させて、霧化ユニット１４１を起動して、液体１４３を霧化して噴出させるのに用いることができる。
【００１６】
一つの実施例において、貯液タンク１４２が供給する液体１４３が薬剤又は水である。
【００１７】
他の実施例において、霧化ユニット１４１が霧化プレートである。
【００１８】
更に他の実施例において、霧化ユニット１４１と貯液タンク１４２との間の連結箇所には、密封度を増加するためのＯリング１４４が設けられる。
【００１９】
本発明の噴水・鼻汁吸引装置１を使用する時には、吸取り部１３を患者の鼻腔内に差込むが、このとき起動スイッチ１７を押下してポンプ１２の吸気ヘッド１２１が起動して吸気を開始すると、鼻腔内の異物（例えば鼻汁）が第１の吸気管路１３１を経由して収集タンク１３２に吸引されて、異物は収集タンク１３２内に貯留することができる。そして異物を除去した後の空気は更に第２の吸気管路１３４、接続管１３５及び吸気管１２３を経由してポンプ１２内に吸引されて、更に排気管１２４から排出される。本実施例において、収集タンク１３２に連通する第１の吸気管路１３３の一端と収集タンク１３２に連通する第２の吸気管路１３４の一端は並列で且つ収集タンク１３２に向いていることで、吸引した空気が第１の吸気管路１３３、収集タンク１３２及び第２の吸気管路１３４を通過する経路はＵ字状をなしている。上記は本発明の噴水・鼻汁吸引装置１の鼻汁機能である。
【００２０】
また、本発明の噴水・鼻汁吸引装置１の噴霧機能ではつまり、噴霧部１４を患者の鼻腔に差し込むが、このとき霧化スイッチ１８を押下すると、噴霧部１４の霧化ユニット１４１を起動できるが、貯液タンク１４２内の液体１４３は同時に霧化ユニット１４１に供給されるため、霧化ユニット１４１は液体１４３を霧化して噴出することができる。
【００２１】
一つの実施例において、吸取り部１３及び噴霧部１４は、必要性に応じて、ハウジング１１の同一側面又は異なる側面上に設けるが、吸取り部１３と噴霧部１４とが一定距離隔てさえすればよい。
【００２２】
本発明の噴水・鼻汁吸引装置１の吸取り部１３と噴霧部１４とを一定距離隔てる設計により、吸取り部１３の鼻汁吸引機能と噴霧部１４の噴霧機能とが使用上にて互いに干渉することなく、且つ脱着動作を必要とせず直ちに鼻汁吸引と噴霧の二種類の機能を実現することができ、しかも本発明の噴水・鼻汁吸引装置１は噴霧部１４が液体を霧化する時に吸取り部１３に直接吸入されるという問題はなく、本発明の噴水・鼻汁吸引装置１は動作上での作用効果が極めて優れる。
【００２３】
上記した実施形態は単に本発明の技術特徴、原理及びその効果を例示的に説明するに過ぎず、しかも本発明の保護範囲を限定するためのものではなく、当業者は本発明の技術思想及び範囲に基づいて上記実施形態に付加及び変更を行うことができる。ところで上記実施形態の如何なる等価的な付加及び変更は、本発明の特許請求の範囲に含まれて保護されるものである。
【符号の説明】
【００２４】
１ 噴水・鼻汁吸引装置
１１ ハウジング
１２ ポンプ
１２１ 吸気ヘッド
１２２ 排気ヘッド
１２３ 吸気管
１２４ 排気管
１３ 吸取り部
１３１ 吸取り部ハウジング
１３２ 収集タンク
１３３ 第１の吸気管路
１３４ 第２の吸気管路
１３５ 接続管
１３６ ガスケット
１３７、１４４ Ｏリング
１４ 噴霧部
１４１ 霧化ユニット
１４２ 貯液タンク
１４３ 液体
１５ 電池
１６ プリント回路板
１７ 起動スイッチ
１８ 霧化スイッチ
【図１】
2018102924.tif 000003
【図２】
2018102924.tif 000004